(57)【要約】【課題】  再生に当たってユーザの指示が必要な場合にも、その指示入力を待たずに、ユーザが所望する音声情報を再生させることが可能な情報再生装置及び情報再生方法等を提供する。【解決手段】  記録媒体に記録されたプログラム情報を再生する再生手段と、前記プログラム情報の再生にあたってユーザの指示が必要な場合に当該必要な指示入力をユーザに対して要求し、ユーザからの指示を待って当該指示入力があったときに当該指示に従って前記再生手段の再生動作を制御する制御手段と、を備える情報再生装置において、前記制御手段は、前記プログラム情報中にユーザが所望する音声情報が含まれているか否かを判別し、当該プログラム情報中に当該音声情報が含まれていると判別した場合には、前記ユーザから前記指示入力を待たずに、予め設定された再生手順に従って前記再生手段の再生動作を制御する。【選択図】  図３
2005122839.tif 000002
【特許請求の範囲】
【請求項１】
記録媒体に記録されたプログラム情報を再生する再生手段と、
前記プログラム情報の再生にあたってユーザの指示が必要な場合に当該必要な指示入力をユーザに対して要求し、ユーザからの指示を待って当該指示入力があったときに当該指示に従って前記再生手段の再生動作を制御する制御手段と、を備える情報再生装置において、
前記制御手段は、
前記プログラム情報中にユーザが所望する音声情報が含まれているか否かを判別し、当該プログラム情報中に当該音声情報が含まれていると判別した場合には、前記ユーザから前記指示入力を待たずに、予め設定された再生手順に従って前記再生手段の再生動作を制御することを特徴とする情報再生装置。
【請求項２】
請求項１に記載の情報再生装置において、
前記制御手段は、前記プログラム情報の再生にあたってユーザの指示が必要な場合に、前記必要な指示入力を促すためのメニュー画面を表示画面上に表示させ、前記必要な指示入力をユーザに対して要求することを特徴とする情報再生装置。
【請求項３】
請求項１又は２に記載の情報再生装置において、
前記制御手段は、前記プログラム情報に対応する識別情報を取得し、更に、前記取得された識別情報に対応するプログラム情報の内容を示す情報を取得して当該プログラム情報の内容を示す情報に基づいて、前記記録媒体に記録されたプログラム情報中に前記音声情報が含まれているか否かを判別することを特徴とする情報再生装置。
【請求項４】
請求項３に記載の情報再生装置において、
プログラム情報の内容を示す情報と当該プログラム情報に対応する識別情報とが対応付けられて記憶されたデータベースを備え、
前記制御手段は、前記データベースから前記プログラム情報の内容を示す情報を取得することを特徴とする情報再生装置。
【請求項５】
請求項１又は２に記載の情報再生装置において、
プログラム情報の内容を示す情報と当該プログラム情報に対応する識別情報とが対応付けられて記憶されたデータベースを備えたサーバにネットワークを介して接続するための通信手段を備え、
前記制御手段は、前記サーバにおける前記データベースから前記プログラム情報の内容を示す情報を取得することを特徴とする情報再生装置。
【請求項６】
請求項４又は５に記載の情報再生装置において、
前記データベースには、前記プログラム情報に対応する識別情報に対応付けられて当該プログラム情報に応じた再生手順が記憶されており、
前記制御手段は、前記記録媒体に記録されたプログラム情報中に前記音声情報が含まれていると判別した場合には、当該プログラム情報に対応する再生手順を前記データベースから取得し、当該再生手順に従って前記再生手段の再生動作を制御することを特徴とする情報再生装置。
【請求項７】
請求項１又は２に記載の情報再生装置において、
前記制御手段は、前記プログラム情報の平均音量レベルを取得可能である場合に当該平均音量レベルを取得し、当該平均音量レベルに基づいて当該プログラム情報中に前記音声情報が含まれているか否かを判別することを特徴とする情報再生装置。
【請求項８】
請求項７に記載の情報再生装置において、
前記制御手段は、前記平均音量レベルが予め設定された閾値以上であるか否かを判別し、当該閾値以上であると判別した場合には、前記プログラム情報中に前記音声情報が含まれていると判別することを特徴とする情報再生装置。
【請求項９】
請求項１又は２に記載の情報再生装置において、
前記制御手段は、音声情報が前記記録媒体に非圧縮で記録されているか否かを判別し、非圧縮で記録されていると判別した場合には、前記プログラム情報中に前記音声情報が含まれていると判別することを特徴とする情報再生装置。
【請求項１０】
請求項１乃至９の何れか一項に記載の情報再生装置において、
前記音声情報は、前記楽曲情報であり、
前記制御手段は、前記プログラム情報中に前記楽曲情報が含まれていると判別した場合には、前記ユーザから前記指示入力を待たずに、前記再生手順に従って前記楽曲情報が番号順に再生されるように前記再生手段の再生動作を制御することを特徴とする情報再生装置。
【請求項１１】
請求項１乃至１０の何れか一項に記載の情報再生装置において、
前記制御手段は、前記プログラム情報中に前記音声情報が含まれている否かを判別できない場合には、前記ユーザから前記指示入力を待たずに、予め設定された再生手順に従って前記再生手段の再生動作を制御することを特徴とする情報再生装置。
【請求項１２】
請求項１乃至１１の何れか一項に記載の情報再生装置において、
前記プログラム情報中に前記音声情報が含まれているか否かの判別を行う否かのオンオフ設定を行う設定手段を更に備え、
前記設定がオフ設定である場合は、前記制御手段は、前記プログラム情報の再生にあたってユーザの指示が必要な場合に、前記音声情報が含まれているか否かの判別を行うことなく、当該必要な指示入力をユーザに対して要求し、ユーザからの指示を待って当該指示入力があったときに当該指示に従って前記再生手段の再生動作を制御することを特徴とする情報再生装置。
【請求項１３】
記録媒体に記録されたプログラム情報の再生にあたってユーザの指示が必要な場合に当該必要な指示入力をユーザに対して要求し、ユーザからの指示を待って当該指示入力があったときに当該指示に従って前記プログラム情報を再生する情報再生方法において、
前記プログラム情報中にユーザが所望する音声情報が含まれているか否かを判別し、当該プログラム情報中に前記音声情報が含まれていると判別した場合には、前記ユーザから前記指示入力を待たずに、予め設定された再生手順に従って前記プログラム情報を再生することを特徴とする情報再生方法。
【請求項１４】
記録媒体に記録されたプログラム情報の再生にあたってユーザの指示が必要な場合に当該必要な指示入力をユーザに対して要求し、ユーザからの指示を待って当該指示入力があったときに当該指示に従って前記プログラム情報を再生するコンピュータを、
前記プログラム情報中にユーザが所望する音声情報が含まれているか否かを判別し、当該プログラム情報中に前記音声情報が含まれていると判別した場合には、前記ユーザから前記指示入力を待たずに、予め設定された再生手順に従って前記プログラム情報を再生するように機能させることを特徴とする情報再生処理プログラム。
【請求項１５】
請求項１４に記載の情報再生処理プログラムがコンピュータ読み取り可能に記録されたことを特徴とする記録媒体。
【発明の詳細な説明】
【技術分野】
【０００１】
記録媒体に記録されたプログラム情報を再生する再生手段と、前記プログラム情報の再生にあたってユーザの指示が必要な場合に当該必要な指示入力をユーザに対して要求し、ユーザから当該指示入力があったときに当該指示に従って前記再生手段の再生動作を制御する制御手段と、を備える情報再生装置等の技術分野に関する。
【背景技術】
【０００２】
近年、楽曲などの音声情報を記録したＣＤ（Compact Disc）等の光ディスク（記録媒体）と、音声情報ばかりでなく映像情報も記録したＤＶＤ（Digital Versatile Disc）等の光ディスクとを同一のディスク収納部内に複数収納し、ユーザからの指示により、ディスクチェンジャが光ディスクを自動的に交換して再生する情報再生装置が普及され始めてきている。
【０００３】
ところで、映像情報を伴うＤＶＤ（ＤＶＤ−Ｖｉｄｅｏ，ＤＶＤ−Ａｕｄｉｏなど）や、ＶｉｄｅｏＣＤなどの光ディスクには、ユーザに操作選択指示を要求するためのメニュー画面データを記録しているものが知られている。このような光ディスクが装填された情報再生装置は、記録情報を再生させる前に当該メニュー画面をモニタ上に表示させ、そのメニュー画面を通じてユーザから選択指示入力があった場合に光ディスクを再生開始するようになっている。これにより、ユーザは、かかるメニュー画面で例えば好きな楽曲を選択した後、それを再生させたり、或いは、音声フォーマットやサブタイトル（字幕）をユーザの好みに合わせて選択した後、楽曲を再生させることができる。
【０００４】
しかしながら、ユーザによって光ディスクを情報再生装置に入れ替える度、或いは、ディスクチェンジャによって光ディスクが交換される度に、ユーザがメニュー画面にて選択指示入力を行うのでは、ユーザにとって操作が煩雑になる場合があった。例えば、車両等に搭載されている情報再生装置において、ユーザは、走行中にはメニュー画面が表示されても安全のためこれを見て操作ができない場合があった。
【０００５】
このような問題を解決するため、特許文献１には、ユーザから上記操作選択指示がなされなくとも、光ディスクから得られた操作項目情報とユーザが予め設定した再生動作の設定条件の情報とを対比することによって、ユーザの所望する操作手順に対応する再生動作を自動的に代行する処理（以下、「自動代行処理」という）を行う情報再生装置が開示されている。
【特許文献１】特開２００２−２３０８９１号公報
【発明の開示】
【発明が解決しようとする課題】
【０００６】
ところで、このような従来の情報再生装置における自動代行処理が実行されるか否かは、ユーザにより設定されるようになっている。従って、かかる自動代行処理が実行されるように設定されている場合、かかる処理は、ユーザが指示入力を望む光ディスク（言い換えれば、コンテンツ）と、当該指示入力を望まない光ディスクとに関わり無く実行されるという不便さがある。
【０００７】
例えば、ユーザが所望する音声情報（例えば、ポップス等の楽曲）が記録された光ディスクに対してのみ指示入力を望まず、他方、そうでない光ディスクに対しては指示入力を望む場合には、ユーザが、それらの光ディスクを切り替える度に上記設定を変更する必要がある。ディスクチェンジャが光ディスクを自動的に交換して再生する情報再生装置が普及してくると、より一層不便になる。
【０００８】
そこで、上記不便さの解消を一つの課題とし、再生に当たってユーザの指示が必要な場合にも、その指示入力を待たずに、ユーザが所望する音声情報を再生させることが可能な情報再生装置及び情報再生方法等を提供することを目的する。
【課題を解決するための手段】
【０００９】
上記課題を解決するため、請求項１記載の発明は、記録媒体に記録されたプログラム情報を再生する再生手段と、前記プログラム情報の再生にあたってユーザの指示が必要な場合に当該必要な指示入力をユーザに対して要求し、ユーザからの指示を待って当該指示入力があったときに当該指示に従って前記再生手段の再生動作を制御する制御手段と、を備える情報再生装置において、前記制御手段は、前記プログラム情報中にユーザが所望する音声情報が含まれているか否かを判別し、当該プログラム情報中に当該音声情報が含まれていると判別した場合には、前記ユーザから前記指示入力を待たずに、予め設定された再生手順に従って前記再生手段の再生動作を制御することを特徴とする。
【００１０】
請求項１３に記載の発明は、記録媒体に記録されたプログラム情報の再生にあたってユーザの指示が必要な場合に当該必要な指示入力をユーザに対して要求し、ユーザからの指示を待って当該指示入力があったときに当該指示に従って前記プログラム情報を再生する情報再生方法において、前記プログラム情報中にユーザが所望する音声情報が含まれているか否かを判別し、当該プログラム情報中に前記音声情報が含まれていると判別した場合には、前記ユーザから前記指示入力を待たずに、予め設定された再生手順に従って前記プログラム情報を再生することを特徴とする。
【００１１】
請求項１４に記載の情報再生処理プログラムは、記録媒体に記録されたプログラム情報の再生にあたってユーザの指示が必要な場合に当該必要な指示入力をユーザに対して要求し、ユーザからの指示を待って当該指示入力があったときに当該指示に従って前記プログラム情報を再生するコンピュータを、前記プログラム情報中にユーザが所望する音声情報が含まれているか否かを判別し、当該プログラム情報中に前記音声情報が含まれていると判別した場合には、前記ユーザから前記指示入力を待たずに、予め設定された再生手順に従って前記プログラム情報を再生するように機能させることを特徴とする。
【００１２】
請求項１５に記載の記録媒体は、請求項１４に記載の情報再生処理プログラムがコンピュータ読み取り可能に記録されたことを特徴とする。
【発明を実施するための最良の形態】
【００１３】
以下、本発明の最良の実施形態を添付図面に基づいて説明する。なお、以下に説明する実施の形態は、記録媒体の一例としてのＤＶＤ−Video（以下、単に、「ＤＶＤ」という）に記録された情報を再生する情報再生装置に対して本願を適用した場合の実施形態である。なお、当該情報再生装置は、例えば、車両に搭載されてもよいし、家庭用、業務用に設置されてもよい。
【００１４】
始めに、ＤＶＤの論理的記録フォーマットについて、図１を参照して説明する。図１は、ＤＶＤの論理的記録フォーマット例を示す図である。
【００１５】
ＤＶＤのボリューム空間は、リードインエリア（ＵＤＦ（Universal Disc Format）とＩＳＯ9660との両規格に準拠した論理フォーマットの制御情報等が記録されるボリュームアンドファイルストラクチャ（Volume and File structure））と、ＤＶＤビデオゾーン（DVD-Video zone）と、その他のゾーン（DVD other zone）とに大別され、そのうち、ＤＶＤビデオゾーンがプログラム情報としてのコンテンツデータを記録するためのデータ格納領域となっている。また、コンテンツデータを再生するために必要な情報も全てこのＤＶＤビデオゾーンに格納（記録）されるようになっている。また、リードインエリアには、ＤＶＤ製造情報、コンテンツ供給者の情報、そのＤＶＤに特有のディスクキーなどの情報も配置される。
【００１６】
更に、ＤＶＤビデオゾーンは、１つのビデオマネージャ（Video Manager）ＶＭＧと、１個以上９９個以下のビデオタイトルセット（Video Title Set）ＶＴＳ#1〜ＶＴＳ#iで構成されている。
【００１７】
ビデオマネージャＶＭＧは、再生ストリームの実体であるＶＭＧメニュー用ビデオオブジェクトセット（Video Object Set for VMG Menu）ＶＭＧＭ＿VOBSと、ＶＭＧメニュー用ビデオオブジェクトセットＶＭＧＭ＿VOBSの再生方法に関するプログラムチェイン情報（Program Chain Information：PGCI）や再生ストリーム属性等を示した制御情報であるビデオマネージャ情報（Video Manager Information）ＶＭＧＩと、ビデオマネージャ情報ＶＭＧＩのバックアップ用データＶＭＧＩ＿BUPからなっている。
【００１８】
一方、夫々のビデオタイトルセットＶＴＳ#1〜ＶＴＳ#iは、再生ストリームの実体であるＶＴＳメニュー用ビデオオブジェクトセット（Video Object Set for VTS Menu）ＶＴＳＭ＿VOBSと、タイトル用ビデオオブジェクトセット（Video Object Set for Video Title）ＶＴＳＴＴ＿VOBSと、これらメニュー用ビデオオブジェクトセットＶＴＳＭ＿VOBS及びタイトル用ビデオオブジェクトセットＶＴＳＴＴ＿VOBSの再生方法に関するプログラムチェイン情報（Program Chain Information：PGCI）や再生ストリーム属性等を示した制御情報であるビデオタイトルセット情報（Video Title Set Information）ＶＴＳＩと、ビデオタイトルセット情報ＶＴＳＩのバックアップ用データＶＴＳＩ＿BUPからなっている。
【００１９】
ここで、ビデオタイトルセットＶＴＳとは、関連する（音声、サブピクチャのストリーム数や仕様、対応言語などの属性が同じ）タイトル（映画等の、製作者が視聴者に提示しようとする一つの作品）を一まとめにしたセット（まとまり）であり、より具体的には、例えば、一本の同じ映画について、異なる言語のセリフ等を有する複数の映画が夫々にタイトルとして記録されたり、又は、同じ映画であっても劇場版と特別版とが夫々別のタイトルとして記憶されたりするものである。
【００２０】
上記の情報ＶＭＧＭ＿VOBS，ＶＴＳＭ＿VOBS，ＶＴＳＴＴ＿VOBSは、それぞれ１個以上のビデオオブジェクト（Video Object：VOB）ＶＯＢ#1〜ＶＯＢ#j，ＶＯＢ#1〜ＶＯＢ#k，ＶＯＢ#1〜ＶＯＢ#tからなり、更にそれら各ビデオオブジェクトは、複数のセル（Cell）で構成されている。  
【００２１】
つまり、セルは、リアルタイムデータの再生単位であり、ビデオマネージャＶＭＧ中又はビデオタイトルセットＶＴＳ中に複数個備えられることができると共に、上記のプログラムチェイン情報ＰＧＣＩによって再生順序が指定されるようになっている。
【００２２】
より詳細にプログラムチェイン情報ＰＧＣＩの機能を述べると、プログラムチェイン情報ＰＧＣＩは、ビデオマネージャＶＭＧや各ビデオタイトルセットＶＴＳ中に複数個含めておくことが可能であり、各セルの再生順序を指定するための処理単位を示す情報となっている。また、セル（Cell）を再生した後、一時停止の状態での静止画再生（「セルスチル」という）を行わせる情報や、ビデオオブジェクトユニット（VOBU）を再生した後、一時停止の状態で静止画再生（「ＶＯＢＵスチル」という）を行わせる情報も、このプログラムチェイン情報ＰＧＣＩに含めて予め記録できるようになっている。なお、説明の便宜上、図１中には、代表例としてビデオマネージャＶＭＧ中のセルＣｅｌｌ#1〜Ｃｅｌｌ#mを示している。
【００２３】
更に、上記の各情報ＶＭＧＭ＿VOBS，ＶＴＳＭ＿VOBS，ＶＴＳＴＴ＿VOBSには、コンテンツデータの再生に当たって必要な指示（例えば、操作指示や、選択指示等）入力をユーザ或いはオペレータ、製造者等（以下、単に、「ユーザ」という）に対して促すためのメニュー画面に関する情報を記録しておくことが可能となっている。
【００２４】
但し、上記の各情報ＶＭＧＭ＿VOBS，ＶＴＳＭ＿VOBS，ＶＴＳＴＴ＿VOBSは必ずしもメニュー画面データ等を記録しなければならないものではないので、メニュー画面データ等が予め記録されていないＤＶＤの場合には、メニュー画面データ等に基づいたメニュー画面の表示は行われないことになる。なお、ＤＶＤ-Videoの規格では、情報再生装置がビデオタイトルセットＶＴＳ#1〜ＶＴＳ#i中の各ビデオオブジェクトＶＯＢに対応して、メニュー画面データを擬似的に作成し、その画像データに基づいて擬似的なメニュー画面の表示を行うことが可能となっている。
【００２５】
図１の説明に戻り、上記の各セル（Ｃｅｌｌ#1を代表して示す）は、複数のビデオオブジェクトユニット（Video Object Unit：VOBU）ＶＯＢＵ#1〜ＶＯＢＵ#nから構成されており、更に各ビデオオブジェクトユニット（ＶＯＢＵ#1を代表して示す）は、先頭に必ず設けられるナビゲーションパック（Navigation Pack）ＮＶ＿PCKと、必要に応じて時分割で設けられるビデオパック（Video Pack）Ｖ＿PCKとオーディオパック（Audio Pack）Ａ-PCK及びサブピクチャパック（Sub-picture Pack）ＳＰ＿PCKから構成されている。
【００２６】
ビデオパックＶ＿PCKには映像（画像）情報が記録され、オーディオパックＡ-PCKには音声情報が記録される。音声情報は、例えば、ドルビーデジタル（登録商標）（ＡＣ−３）方式で圧縮されて記録されているか、或いは、リニアＰＣＭ方式の非圧縮で記録されている。
【００２７】
サブピクチャパックＳＰ＿PCKは、パックヘッダと、データ圧縮されて記録される再生データ（圧縮再生データ）を備えて構成されている。
【００２８】
このサブピクチャパックＳＰ＿PCKには、メニュー画面を構成して表示するために必要な、枠、操作選択項目（ボタン）等を構成して表示するための映像情報がサブピクチャデータとして記録される。
【００２９】
ナビゲーションパックＮＶ＿PCKは、パックヘッダ等に続くプレゼンテーション管理情報パケット（Presentation Control Information Packet）ＰＣＩ＿PKTとデータサーチ情報パケット（Data Search Information Packet）ＤＳＩ＿PKTを備えて構成されている。
【００３０】
そして、ナビゲーションパックＮＶ＿PCK中のプレゼンテーション管理情報パケットＰＣＩ＿PKT及びデータサーチ情報パケットＤＳＩ＿PKTと、サブピクチャパックＳＰ＿PCK中の圧縮再生データには、メニュー画面上に表示されるべき操作選択項目（例えば、「本編再生」、「チャプタ選択」、「曲目選択」及び「字幕設定」等や選択項目や、選択可能な曲名表示項目、チャプタ番号表示項目など）に関する情報が記録されるようになっている。この操作選択項目に関する情報は、操作選択項目がメニュー画面上に表示される際の操作選択項目の表示方法（表示領域及び位置）、それぞれの操作選択項目に付けられたボタン番号情報（この情報によってシステムコントローラ１８がどの操作選択項目が選択されたかを認識）、及び操作選択項目が選択されたときの表示や動作を定義したハイライト情報等を予め設定しておくための情報である。
【００３１】
次に、図２を参照して、本実施形態にかかる情報再生装置の構成、及び機能を説明する。図２は、本実施形態にかかる情報再生装置の概要ブロック例を示す図である。
【００３２】
図２に示すように、情報再生装置Ｓは、所定のクランプ位置に装填される光ディスク（例えば、ＤＶＤ２）を一定の線速度（又は角速度）で回転駆動するスピンドルモータ３と、光ディスクに記録されている情報を光学的に読み取り電気信号に光電変換する光ピックアップ４と、光ピックアップ４を光ディスクの半径方向へ移動させる送りモータ５と、ＲＦアンプ６と、サーボ制御部７、デジタル信号処理部８、バッファメモリ９、ストリーム分離部１０、ビデオデコーダ１１、オーディオデコーダ１２、サブピクチャデコーダ１３、ビデオプロセッサ１４、Ｄ／Ａ変換器１５、ビデオエンコーダ１６、通信部１７、本願の制御手段としてのシステムコントローラ１８、記憶部１９、及び操作部２０を備えて構成されている。このような構成において、スピンドルモータ３、光ピックアップ４、送りモータ５、ＲＦアンプ６、サーボ制御部７、デジタル信号処理部８、バッファメモリ９等は、システムコントローラ１７による制御の下、光ディスクに記録されたコンテンツデータを再生する再生手段として機能するようになっている。なお、光ディスクは、例えば図示しないディスク収納部内に複数枚収納されており、ディスクチェンジャによって、そのうち何れかの光ディスクが選択されて、上記所定のクランプ位置に装填されるようになっている。
【００３３】
ＲＦアンプ６は、光ピックアップ４より出力される電気信号からＲＦ（Radio Frequency）信号を生成してデジタル信号処理部８へ出力すると共に、電気信号からトラッキングエラーやフォーカスエラー等の各種エラー信号を生成してサーボ制御部７へ出力するようになっている。
【００３４】
サーボ制御部７は、システムコントローラ１８の指示に応じて、ＲＦアンプ６からの各種エラー信号とデジタル信号処理部８で検出される同期誤差信号とに基づいて、スピンドルモータ３と光ピックアップ４及び送りモータ５に対してサーボ制御（フォーカスサーボ、トラッキングサーボ、回転サーボ、キャリッジサーボ等）を行うようになっている。
【００３５】
デジタル信号処理部８は、ＲＦアンプ６からのＲＦ信号をＡ／Ｄ変換した後、ＤＶＤ-Videoの規格に準拠した信号復調処理と誤り訂正処理を行ってバッファメモリ９に一時的に格納する。更にその格納した復調データをシステムコントローラ１８からの指示に従って、ストリーム分離部１０及びシステムコントローラ１８へ出力すると共に、復調及び誤り訂正処理によって得られる同期誤差信号をサーボ制御部７へ供給するようになっている。
【００３６】
なお、図１に示したビデオマネージャ情報ＶＭＧＩやビデオタイトルセット情報ＶＴＳＩも、復調データと共にデジタル信号処理部８からシステムコントローラ１８へ供給され、これによってシステムコントローラ１８は、上述したメニュー画面を表示するための制御情報を取得する。
【００３７】
ストリーム分離部１０は、デジタル信号処理部８より供給される復調データから、上述したビデオオブジェクトユニットＶＯＢＵに含まれているナビゲーションパックＮＶ＿PCKと、ビデオパックＶ＿PCKと、オーディオパックＡ-PCKと、サブピクチャパックＳＰ＿PCKを分離抽出する。そして、分離抽出したナビゲーションパックＮＶ＿PCKをシステムコントローラ１８へ、ビデオパックＶ＿PCKをビデオデコーダ１１へ、オーディオパックＡ-PCKをオーディオデコーダ１２へ、サブピクチャパックＳＰ＿PCKをサブピクチャデコーダ１３へそれぞれ供給するようになっている。
【００３８】
ナビゲーションパックＮＶ＿PCKが供給されることにより、システムコントローラ１８は、ビデオストリームやオーディオストリームを再生する際に、上述したプレゼンテーション管理情報パケットＰＣＴ＿PKTに含まれている操作選択項目に関する情報を取得する。
【００３９】
ビデオデコーダ１１は、ビデオパックＶ＿PCKに対して所定の復号（デコード）処理を行い、その復号したビデオデータをビデオプロセッサ１４へ出力するようになっている。
【００４０】
オーディオデコーダ１２は、音声情報がドルビーデジタル（ＡＣ−３）方式で圧縮されて記録されている場合、そのオーディオパックＡ＿PCKに対して、所定の復号（伸長）処理を施すことによりデジタルオーディオデータを生成し、Ｄ／Ａ変換器１５に出力する。一方、音声情報がリニアＰＣＭ方式の非圧縮で記録されている場合、伸長処理を行わずにＤ／Ａ変換器１５に出力する。
【００４１】
Ｄ／Ａ変換器１５では、オーディオデコーダ１２から出力されたデジタルオーディオデータを、オーディオ周波数帯域のアナログオーディオ信号に変換させて出力させるようになっている。
【００４２】
サブピクチャデコーダ１３は、サブピクチャパックＳＰ＿PCKに対して所定の復号（デコード）処理を施すことにより、前述したサブピクチャデータを生成してビデオプロセッサ１４へ出力する。更に、サブピクチャデータを生成する際、そのサブピクチャの位置を示すサブピクチャ位置データもデコードしてシステムコントローラ１８に供給するようになっている。
【００４３】
ビデオプロセッサ１４は、システムコントローラ１８からの指示に従って、ビデオデコーダ１１から供給されるビデオデータにより画像データを生成しビデオエンコーダ１６へ出力する。また、ビデオデコーダ１１及びサブピクチャデコーダ１３から供給されるビデオデータとサブピクチャデータとを合成することにより画像データを生成して、ビデオエンコーダ１６へ出力する。また、ビデオプロセッサ１４は、システムコントローラ１８からの指示に従って、サブピクチャデコーダ１３から供給されるサブピクチャデータと、システムコントローラ１８から供給される操作選択項目に関する情報によりメニュー画像データを生成しビデオエンコーダ１６へ出力する。
【００４４】
ビデオエンコーダ１６は、画像データをモニタで表示可能なデジタル映像データやコンポジット信号に変換して出力する。そして、ビデオエンコーダ１６は、これらのデジタル映像データやコンポジット信号をモニタ（図示せず）に供給することにより、そのモニタの表示画面上にコンテンツである例えば映画や、ユーザに対して操作選択項目を選択するように促すためのメニュー画面を表示させる。
【００４５】
通信部１７は、システムコントローラ１８からの指示に従って、例えばインターネット等のネットワーク３１に接続された、情報検索データベースを備えたサーバ３２に接続し、そのサーバ３２との間でデータ通信を行うためのものであり、システムコントローラ１８から送信すべき情報（信号）が入力されると、当該信号に対して予め設定されている出力インターフェース処理を実行し、当該信号をネットワーク３１を介してサーバ３２に出力するようになっている。また、通信部１７は、サーバ３２からネットワーク３１を介して送信された情報（信号）に対して予め設定されている入力インターフェース処理を実行し、システムコントローラ１８に出力するようになっている。
【００４６】
システムコントローラ１８は、演算機能を有するＣＰＵ、作業用ＲＡＭ、及び各種処理プログラム（情報再生処理プログラムを含む：この情報再生処理プログラムは、例えば、インターネット上のサーバからダウンロードされるようにしてもよいし、ＣＤ−ＲＯＭ等の記録媒体に記録されて提供されるようにしてもよい。）やデータを記憶するＲＯＭ等を備えており、これには、ユーザが所望の操作指示入力を行うための操作部２０と、不揮発性メモリで形成され、情報を記憶する記憶部１９が接続されている。そして、ＲＯＭに記憶されたプログラムを実行することにより、コンピュータとしてのシステムコントローラ１８は、情報再生装置Ｓ全体を統括制御するとともに、本願の制御手段として機能するようになっている。
【００４７】
具体的には、本願の制御手段として、システムコントローラ１８は、ＤＶＤ２に記録されたコンテンツデータの再生にあたってユーザの指示が必要な場合（例えばコンテンツデータの再生前に、メニュー画面を表示するための記録或いは設定がされている場合等）に、例えばメニュー画面をモニタの表示画面上に表示させ、当該必要な指示（例えば、操作選択項目の選択指示）入力をユーザに対して要求し、ユーザからの指示を待って当該指示入力があったときに当該指示に従って、コンテンツデータを再生させるべく、上述した光ピックアップ４等の各構成要素の再生動作を制御する処理を実行する。
【００４８】
つまり、システムコントローラ１８は、メニュー画面の表示を行った際、操作選択項目の選択が操作部２０を通じてユーザによってなされるまで待機し続け、ユーザが操作部２０を操作することにより、操作選択項目のうちの所望の曲名を選択指示した場合に、その曲名に関するコンテンツデータ（音声情報及び映像情報等を）を再生（以下、「指示入力スキップ再生」という）するように制御する。
【００４９】
このような制御において、システムコントローラ１８は、コンテンツデータ中にユーザが所望する音声情報が含まれているか否かを判別し、当該コンテンツデータに当該音声情報が含まれていると判別した場合には、ユーザから上記指示入力を待たずに、予め設定された再生手順に従ってコンテンツデータを再生（連続再生：ユーザの指示入力を介在させない再生）させるべく（例えば楽曲情報が番号順に再生されるように）、上述した光ピックアップ４等の各構成要素の再生動作を制御する処理を実行する。
【００５０】
ここで、「ユーザが所望する音声情報」には、例えばビデオクリップ（ミュージックビデオ）や映画音楽のような映像がなくても楽しめる音楽、漫談、落語等の音声情報が含まれる。
【００５１】
また、「音声情報がコンテンツデータに含まれているか否か」の判別（以下、「音声情報存否判別」という）は、外部情報（ＤＶＤ２の記録情報以外の情報）が用いられて行われる場合と、内部情報（ＤＶＤ２の記録情報）が用いられて行われる場合とがある。
【００５２】
外部情報が用いられる場合の例として、コンテンツデータに対応する識別情報と、そのコンテンツデータの内容を示す情報とが対応付けられて記憶された情報検索用データベースが参照されて（情報が取得されて）、音声情報存否判別がなされる。コンテンツデータに対応する識別情報とは、そのコンテンツデータを特定（識別）するための情報であり、識別情報の例として、ビデオマネージャ情報ＶＭＧＩ、ＤＶＤ製造情報、コンテンツ供給者の情報、ディスクキー等が挙げられる（ＣＤでは、ＴＯＣ情報が該当）。なお、ＤＶＤ２に記録されているコンテンツデータの内容を特定できる情報であれば、どのような情報であっても構わない。
【００５３】
かかる情報検索用データベースは、情報再生装置Ｓの記憶部１９に構築されるようにしてもよいし、サーバ３２に備えられる（サーバ３２における記憶装置に構築）ようにしてもよい。また、情報検索用データベースは、ユーザによって構築されるようにしてもよいし、情報提供者等によって構築されるようにしてもよい。ユーザによって情報検索用データベースが構築される場合には、ユーザが、所望の音声情報（例えば、楽曲、或いは、楽曲の中でも特定のジャンル）が再生されるように情報検索用データベースに記憶されるコンテンツデータの内容を示す情報を設定することができる。
【００５４】
一方、内部情報が用いられる場合の例として、ＤＶＤ２に記録されたコンテンツデータの平均音量レベルの情報や、ＤＶＤ２に音声情報が非圧縮で記録されているかの情報が参照されて、音声情報存否判別がなされる。
【００５５】
なお、何を所望する音声情報とするかによって、かかる判別方法が異なるように構成してもよい。
【００５６】
また、「予め設定された再生手順」に関する情報は、例えば、情報再生装置Ｓの記憶部１９や、サーバ３２に備えられる情報検索用データベースに記憶される。システムコントローラ１８は、かかる再生手順を参照することによって、ユーザに指示入力を要求しなくとも（メニュー画面で操作選択項目の選択がなされなくとも）、連続的にコンテンツデータを再生することができる。例えば、再生手順としては、例えば音楽データを頭から記録番号順（タイトル番号順）に再生するための再生手順や、選択可能な曲名表示項目或いはチャプタ番号表示項目のうち所定の項目を選択して再生するための再生手順などがある。
【００５７】
また、かかる再生手順がコンテンツ毎に固有の場合、かかる再生手順に関する情報は、コンテンツデータに対応する識別情報に対応付けられて情報検索用データベースに記憶されるようにする。つまり、コンテンツによって、メニュー画面における操作選択項目の構成が異なる場合があるので、コンテンツデータ毎に応じた再生手順を設定するという趣旨である。
【００５８】
次に、本実施形態にかかる情報再生装置Ｓにおけるコンテンツデータの再生処理の詳細について説明する。
【００５９】
（実施例１）
実施例１では、図３及び図４を参照して、外部情報、特に、サーバ３２における情報検索用データベースに記憶される情報が用いられて音声情報存否判別が行われる場合における情報再生装置Ｓの再生処理について説明する。
【００６０】
図３は、実施例１における情報再生装置Ｓ（システムコントローラ１８）の再生処理を示すフローチャートである。なお、以下に示す処理は、例えばユーザから操作部２０介して再生指示がなされ、システムコントローラ１８によりメニュー画面を表示するための制御情報が取得されることにより実行される。
【００６１】
図３の処理において、先ず、システムコントローラ１８は、指示入力スキップ再生がオン設定されているか否かを例えば記憶部１９に記憶された情報を参照することにより判別し（ステップＳ１）、オン設定されていない場合には（ステップＳ１：Ｎ）、ステップＳ７に移行し、メニュー画面表示処理を行う。メニュー画面表示処理では、公知の如く、システムコントローラ１８がビデオプロセッサ１４に対して操作選択項目に関する情報及びメニュー画面データ生成指令を出力してモニタの表示画面上にメニュー画面を表示させる。続いて、ステップＳ８の指示入力受付処理では、システムコントローラ１８は、表示されたメニュー画面における操作選択項目の選択指示入力を操作部２０を介してユーザから受け付け、その指示入力を記憶し、ステップＳ１１に移行する。
【００６２】
なお、指示入力スキップ再生のオンオフ設定、言い換えれば、音声情報存否判別を行う否かのオンオフ設定は、設定手段としてのシステムコントローラ１８により例えばユーザによる操作部２０の操作に従って行われ、記憶部１９に記憶されることになる。
【００６３】
一方、指示入力スキップ再生がオン設定されている場合には（ステップＳ１：Ｙ）、システムコントローラ１８は、光ピックアップ４等を制御して、例えばビデオマネージャ情報ＶＭＧＩを取得する（ステップＳ２）。なお、複数種類の識別情報（ディスクキーなど）が取得されるように構成してもよい。
【００６４】
次に、システムコントローラ１８は、情報検索用データベースを参照するため、通信部１７を介してネットワーク３１に接続されたサーバ３２にアクセスし、上記取得された識別情報としてのビデオマネージャ情報ＶＭＧＩを当該サーバ３２に送信する（ステップＳ３）。かかるビデオマネージャ情報ＶＭＧＩの送信後、システムコントローラ１８は、サーバ３２からの情報の送信（返信）があるのを所定時間（例えば、１０秒間）待機することになる（ステップＳ５）。
【００６５】
サーバ３２では、送信された識別情報としてのビデオマネージャ情報ＶＭＧＩを受信し、情報検索用データベースを参照して、受信したビデオマネージャ情報ＶＭＧＩと一致するビデオマネージャ情報ＶＭＧＩを検索する。
【００６６】
図４は、サーバ３２の情報検索用データベースに記憶された情報例を示すための概念図である。図４の例では、複数のコンテンツ毎に、コンテンツデータに対応する識別情報としてのビデオマネージャ情報ＶＭＧＩ及びタイトルと、そのコンテンツデータの内容を示す情報としてのアーティスト及びジャンル（コンテンツデータの内容を示す情報の一例）とが互いに対応付けられて記憶されている。また、特定のコンテンツについては、コンテンツデータに対応する識別情報に対応付けられて再生手順を示す情報が記憶されている。
【００６７】
サーバ３２の検索結果、例えば当該情報検索用データベースに受信したビデオマネージャ情報ＶＭＧＩと一致するビデオマネージャ情報ＶＭＧＩが記憶されている場合には、サーバ３２は、例えばそのビデオマネージャ情報ＶＭＧＩに対応するジャンル（コンテンツデータの内容を示す情報）と、再生手順を示す情報がある場合にはこれを取得し、ネットワーク３１を介して情報再生装置Ｓに送信する。
【００６８】
次に、システムコントローラ１８が、コンテンツデータの内容を示す情報としてのジャンルを示す情報等を通信部１７を介して受信すると（ステップＳ４：Ｙ）、かかるジャンルを示す情報に基づいて音声情報存否判別を行う（ステップＳ６）。例えば、ビデオマネージャ情報ＶＭＧＩに対応するコンテンツデータ中の音声情報のジャンルが音楽であるか否かを判別する。そのジャンルが音楽である場合には、システムコントローラ１８は、当該コンテンツデータ中にユーザが所望する再生すべき音声情報が含まれていると判別し（ステップＳ６：Ｙ）、ステップＳ７のメニュー画面表示処理と同様の処理を実行する（ステップＳ９）。続いて、ステップＳ１０の指示入力スキップ処理では、ユーザからの指示入力を待たずに、予め設定された再生手順を取得する。例えば、ステップＳ４の処理においてジャンルを示す情報とともに再生手順を示す情報が受信されていた場合、この再生手順が取得される。一方、ステップＳ４の処理において再生手順を示す情報のみが受信されていない場合、記憶部１９に記憶された再生手順（例えばタイトル番号順に再生）が取得される。
【００６９】
なお、上記ステップＳ６においてコンテンツデータ中にユーザが所望する音声情報が含まれていると判別された場合には、ステップＳ９にてメニュー画面表示処理が実行されたが、別の例として、ステップＳ９のメニュー画面表示処理をスキップして上記メニュー画面を表示させることなくステップＳ１０に移行するように構成してもよい。
【００７０】
一方、ステップＳ５の処理において、サーバ３２からの情報の送信（返信）が所定時間なかった場合（言い換えれば、ビデオマネージャ情報ＶＭＧＩの送信から所定時間が経過した場合）、つまり、上記ジャンルを示す情報を得られず上記音声情報存否判別ができない場合には（ステップＳ５：Ｙ）、システムコントローラ１８は、上記にてユーザが所望する音声情報が含まれていると判別された場合と同様、ステップＳ９，１０の処理を実行する。このように音声情報存否判別できない場合にも、指示入力スキップ処理を実行するようにしたのは、この場合指示入力スキップ再生がオン設定であるので、現在ユーザはできるだけメニュー画面の操作をしたくない状況（例えば、車の運転中）であることを考慮したためである。但し、上記ジャンルを示す情報を得られず上記音声情報存否判別ができない場合には、ステップＳ７のメニュー画面表示処理に移行するように構成してもよい。
【００７１】
そして、ステップＳ８の指示入力受付処理が実行された場合のステップＳ１１に示す再生制御処理では、システムコントローラ１８は、メニュー画面表示処理にてモニタの表示画面上に表示されたメニュー画面における操作選択項目の選択指示に従って上述した光ピックアップ４等の各構成要素の再生動作を制御する処理を実行する。
【００７２】
一方、ステップＳ１０の指示入力スキップ処理が実行された場合のステップＳ１１に示す再生制御処理では、システムコントローラ１８は、取得した再生手順（例えば、メニュー画面中の操作選択項目のカーソルを移動（例えばハイライト移動）させ決定ボタンが押下されて再生開始されるまで動作手順）に従ってコンテンツデータを再生させるべく、上述した光ピックアップ４等の各構成要素の再生動作を制御する処理を実行する。
【００７３】
なお、例えばＤＶＤ２に複数の楽曲が記録されており上記再生手順に従って１曲目の楽曲が再生され終了したときにメニュー画面表示処理が実行されるようになっている場合には、システムコントローラ１８は、ステップＳ１０の指示入力スキップ処理を再度実行して２曲目等の楽曲を再生させるように制御する（実施例２〜４も同様）。
【００７４】
以上説明したように、上記実施例１によれば、コンテンツデータの再生に当たって例えばメニュー画面にてユーザの指示入力が必要な場合にも、情報検索用データベースが用いられて当該コンテンツデータ中にユーザが所望する音声情報が含まれているか否かが判別され、当該音声情報が含まれている場合には、ユーザから当該指示入力を待たずに、予め設定された再生手順に従ってユーザが所望する音声情報を自動的に再生することができる。
【００７５】
従って、再生にあたってユーザの指示入力が必要なＤＶＤ等の光ディスクからコンテンツデータが再生される場合にも、ユーザは、煩雑な操作を行うことなく（例えば、車両を運転中）、例えば音楽情報を記録したＣＤ−ＤＡ（Digital Audio）と同じように、上記ＤＶＤ等の光ディスクを扱うことができる。
【００７６】
しかも、当該コンテンツデータ中にユーザが所望する音声情報が含まれている場合に限り、ユーザからの当該指示入力を待たずに、その音声情報が自動的に再生されるので、ユーザが所望する音声情報が記録された光ディスクに対してのみ指示入力を行わず、そうでない光ディスクに対しては指示入力を行うようにすることができる（言い換えれば、ユーザが、それらの光ディスクを切り替える度に指示入力スキップ再生の設定を変更する必要がない）。
【００７７】
（実施例２）
実施例２では、図５を参照して、外部情報、特に、記憶部１９における情報検索用データベースに記憶される情報が用いられて音声情報存否判別が行われる場合における情報再生装置Ｓの再生処理について説明する。なお、実施例２の説明では、上記実施例１と重複する説明は省略する。
【００７８】
図５は、実施例２における情報再生装置Ｓ（システムコントローラ１８）の再生処理を示すフローチャートである。
【００７９】
図５の処理におけるステップＳ２１及びＳ２２の処理は、図３の処理におけるステップＳ１及びＳ２の処理と同様であるので説明を省略する。
【００８０】
ステップＳ２３の処理では、システムコントローラ１８は、記憶部１９に構築された情報検索用データベースを参照して、ステップＳ２２で取得した識別情報としてのビデオマネージャ情報ＶＭＧＩと一致するビデオマネージャ情報ＶＭＧＩを判別（検索）する。その検索結果、当該情報検索用データベースに、取得したビデオマネージャ情報ＶＭＧＩと一致するビデオマネージャ情報ＶＭＧＩが記憶されている場合には（ステップＳ２３：Ｙ）、システムコントローラ１８は、例えばそのビデオマネージャ情報ＶＭＧＩに対応するコンテンツデータの内容を示す情報としてのジャンルを示す情報を取得する（ステップＳ２４）。一方、取得したビデオマネージャ情報ＶＭＧＩと一致するビデオマネージャ情報ＶＭＧＩが記憶されていない場合（ステップＳ２３：Ｎ）、つまり、上記ジャンルを示す情報を得られず上記音声情報存否判別ができない場合には、ステップＳ２８のメニュー画面表示処理に移行する（実施例１と同様の趣旨）。
【００８１】
ステップＳ２４にてジャンルを示す情報が取得された場合、システムコントローラ１８は、そのジャンルを示す情報に基づいて音声情報存否判別を行う（ステップＳ２５）。なお、この音声情報存否判別の処理は、図３の処理におけるステップＳ６の処理と同様であるので説明を省略する。また、ステップＳ２６からステップＳ３０までの処理は、図３の処理におけるステップＳ７からステップＳ１１の処理と同様であるので説明を省略する。
【００８２】
以上説明したように、上記実施例２によれば、上記実施例１と同様、コンテンツデータの再生に当たって例えばメニュー画面にてユーザの指示入力が必要な場合にも、情報検索用データベースが用いられて当該コンテンツデータ中にユーザが所望する音声情報が含まれているか否かが判別され、当該音声情報が含まれている場合には、ユーザから当該指示入力を待たずに、予め設定された再生手順に従ってユーザが所望する音声情報を自動的に再生することができる。
【００８３】
従って、ユーザは、煩雑な操作を行うことなく（例えば、車両を運転中）、例えば音楽情報を記録したＣＤ−ＤＡと同じように、上記ＤＶＤ等の光ディスクを扱うことができる。
【００８４】
しかも、当該コンテンツデータ中にユーザが所望する音声情報が含まれている場合に限り、ユーザからの当該指示入力を待たずに、その音声情報が自動的に再生されるので、ユーザが所望する音声情報が記録された光ディスクに対してのみ指示入力を行わず、そうでない光ディスクに対しては指示入力を行うようにすることができる（言い換えれば、ユーザが、それらの光ディスクを切り替える度に指示入力スキップ再生の設定を変更する必要がない）。
【００８５】
更に、実施例２によれば、情報再生装置Ｓの記憶部１９に情報検索用データベースが構築されているので、ユーザは、操作部２０を操作して、コンテンツデータに対応する識別情報と、そのコンテンツデータの内容を示す情報、及び再生手順を示す情報を対応付けて、簡単に情報検索用データベースに登録することができる。従って、ユーザは、上記指示入力スキップ処理の対象となる所望する音声情報を任意に設定することができる。
【００８６】
なお、上記実施例１及び２おいては、判別対象を音楽とし、コンテンツデータのジャンルが音楽であるかを判別したが、これ以外の例えば音楽の中でもロックのジャンルを判別対象としてもよい（また、アーティストを判別対象としてもよい）。これにより、上記ステップＳ６若しくはステップＳ２５において、コンテンツデータ中の音声情報のジャンルがロックである場合に、当該コンテンツデータ中にユーザが所望する音声情報が含まれていると判別されることになる。そして、この判別対象の設定は、例えばユーザにより操作部２０が操作されて行われ、記憶部１９に記憶されるようにしてもように構成すれば、より一層ユーザが所望する音声情報を、ユーザからの指示入力を待たずに再生させることができる。
【００８７】
（実施例３）
実施例３では、図６を参照して、内部情報、特に、ＤＶＤ２に記録されたコンテンツデータの平均音量レベルの情報が用いられて音声情報存否判別が行われる場合における情報再生装置Ｓの再生処理について説明する。なお、実施例３の説明では、上記実施例１と重複する説明は省略する。
【００８８】
図６は、実施例３における情報再生装置Ｓ（システムコントローラ１８）の再生処理を示すフローチャートである。
【００８９】
図６の処理におけるステップＳ３１の処理は、図３の処理におけるステップＳ１の処理と同様であるので説明を省略する。
【００９０】
ステップＳ３２の処理では、システムコントローラ１８は、例えばビデオマネージャ情報ＶＭＧＩから、コンテンツデータ中の音声情報の平均音量レベルを示す情報を取得可能であるか否かを判別し、取得可能である場合には（ステップＳ３２：Ｙ）、当該平均音量レベルを示す情報を取得する（ステップＳ３３）。一方、コンテンツデータの平均音量レベルを示す情報が取得できない場合（ステップＳ３２：Ｎ）、つまり、当該情報を得られず音声情報存否判別ができない場合には、ステップＳ３７のメニュー画面表示処理に移行する（実施例１と同様の趣旨）。
【００９１】
ここで、平均音量レベルとは、例えばＤＶＤ２に記録されたコンテンツデータ（音声情報）全体の音量レベルが平均化された値である。例えば音声情報がドルビーデジタル（登録商標）（ＡＣ−３）方式で圧縮されて記録される場合、ダイアローグ標準化（いろいろな種類の光ディスクの音声出力レベルを統一させるもので、光ディスクを交換する毎に音量調整する煩わしさを避けるためのもの）としてＤＶＤ２には平均音量レベルを示す情報が記録されることになり、システムコントローラ１８は、この平均音量レベルを示す情報を取得することができる。
【００９２】
この平均音量レベルにより、例えば、音楽系のコンテンツでは、大きな音量レベルで継続して音声が出力される状態となるので、比較的、平均音量レベルが高いといえる。一方、映画系のコンテンツでは、台詞などの小音量で断続して音声が出力される状態となるので、比較的、平均音量レベルが低いといえる。従って、音楽系のコンテンツの平均音量レベルと、映画系のコンテンツの平均音量レベルとの間に閾値を設定することで、ＤＶＤ２に記録されたコンテンツデータが音楽系のコンテンツであるか否かを判別することができる。
【００９３】
次に、システムコントローラ１８は、取得した平均音量レベルに基づいて音声情報存否判別を行う（ステップＳ３４）。より具体的には、システムコントローラ１８は、当該平均音量レベルが予め設定された閾値以上であるか否かを判別し、当該閾値以上である場合には、当該コンテンツデータ中にユーザが所望する音声情報として楽曲情報が含まれていると判別し（ステップＳ３４：Ｙ）、ステップＳ３７に移行する（ステップＳ３７のメニュー画面表示処理をスキップして上記メニュー画面を表示させることなくステップＳ３８に移行するように構成してもよい）。
【００９４】
そして、ステップＳ３７の処理では、図３に示すステップＳ７のメニュー画面表示処理と同様の処理が実行され、続いて、ステップＳ３８の指示入力スキップ処理では、ユーザからの指示入力を待たずに、予め設定された再生手順を取得する。例えば、記憶部１９に記憶された再生手順（例えばタイトル番号順に再生）が取得される。なお、当該再生手順は、実施例１のように、識別情報をサーバ３２に送信することにより、当該サーバ３２から取得されるように構成してもよい。
【００９５】
こうして、ステップＳ３９に示す再生制御処理では、システムコントローラ１８は、実施例１又は２と同様、取得した再生手順に従ってコンテンツデータを再生させるべく、上述した光ピックアップ４等の各構成要素の再生動作を制御する処理を実行する。
【００９６】
一方、当該平均音量レベルが閾値以上でない場合には（ステップＳ３４：Ｎ）、ステップＳ３５に移行し、図３に示すステップＳ７及びＳ８と同様の処理がステップＳ３５及びＳ３６で実行され、ステップＳ３９に示す再生制御処理が行われる。
【００９７】
以上説明したように、上記実施例３によれば、コンテンツデータの再生に当たって例えばメニュー画面にてユーザの指示入力が必要な場合にも、音声情報についての平均音量レベルが用いられて当該コンテンツデータ中にユーザが所望する音声情報が含まれているか否かが判別され、当該音声情報が含まれている場合には、ユーザから当該指示入力を待たずに、予め設定された再生手順に従ってユーザが所望する音声情報を自動的に再生することができる。
【００９８】
従って、実施例１と同様、ユーザは、煩雑な操作を行うことなく、例えば音楽情報を記録したＣＤ−ＤＡと同じように、上記ＤＶＤ等の光ディスクを扱うことができる。
【００９９】
しかも、当該コンテンツデータ中にユーザが所望する音声情報が含まれている場合に限り、ユーザからの当該指示入力を待たずに、その音声情報が自動的に再生されるので、ユーザが所望する音声情報が記録された光ディスクに対してのみ指示入力を行わず、そうでない光ディスクに対しては指示入力を行うようにすることができる。
【０１００】
更に、上記実施例３によれば、ＤＶＤ２の記録情報である平均音量レベルを用いることにより、ユーザが所望する音声情報をより簡単かつ迅速に判別することができる。
【０１０１】
なお、実施例３では、平均音量レベルが予めＤＶＤ２に記録されている場合の例を示したが、例えば、ＤＶＤ２に記録されているコンテンツデータが再生される際に、平均音量レベルを測定し、例えばビデオマネージャ情報ＶＭＧＩ等の識別情報に対応付けて記憶部１９に記憶しておくように構成してもよい。この構成によれば、平均音量レベルが記憶された以後に、同様のＤＶＤ２からコンテンツデータが再生される場合に、上記ステップＳ３４に示す音声情報存否判別を行うことができる。
【０１０２】
（実施例４）
実施例４では、図７を参照して、内部情報、特に、音声情報が非圧縮で記録されているかの情報が用いられて音声情報存否判別が行われる場合における情報再生装置Ｓの再生処理について説明する。なお、実施例４の説明では、上記実施例３と重複する説明は省略する。
【０１０３】
図７は、実施例４における情報再生装置Ｓ（システムコントローラ１８）の再生処理を示すフローチャートである。
【０１０４】
図７の処理におけるステップＳ４１の処理は、図３の処理におけるステップＳ１の処理と同様であるので説明を省略する。
【０１０５】
ステップＳ４２の処理では、システムコントローラ１８は、例えばビデオマネージャ情報ＶＭＧＩに基づいて、音声情報の記録形式を示す情報を取得する。
【０１０６】
そして、システムコントローラ１８は、取得した音声情報の記録形式を示す情報に基づいて音声情報存否判別を行う（ステップＳ４３）。より具体的には、システムコントローラ１８は、音声情報がＤＶＤ２に非圧縮で記録されているか否かを判別し、非圧縮（例えば、リニアＰＣＭ方式）で記録されている場合には、当該コンテンツデータ中にユーザが所望する音声情報として楽曲情報が含まれていると判別し（ステップＳ４３：Ｙ）、ステップＳ４６に移行する（ステップＳ４６のメニュー画面表示処理をスキップして上記メニュー画面を表示させることなくステップＳ４７に移行するように構成してもよい）。一方、当該非圧縮（例えば、リニアＰＣＭ方式）で記録されていない場合には（ステップＳ４３：Ｎ）、ステップＳ４４に移行する。
【０１０７】
ここで、音楽系コンテンツでは、高音質で音声出力させるため、非圧縮（例えば、リニアＰＣＭ方式）で音声情報が記録されることが多い。従って、音声情報がＤＶＤ２に非圧縮で記録されているか否かを判別すれば、コンテンツデータ中に再生すべき音声情報として楽曲情報が含まれているか否かを判別することができるのである。
【０１０８】
なお、ステップＳ４４〜ステップＳ４８の処理は、図６の処理におけるステップＳ３５〜ステップＳ３９の処理と同様であるので説明を省略する。
【０１０９】
以上説明したように、上記実施例４によれば、コンテンツデータの再生に当たって例えばメニュー画面にてユーザの指示入力が必要な場合にも、音声情報の記録形式を示す情報が用いられて当該コンテンツデータ中にユーザが所望する音声情報が含まれているか否かが判別され、当該音声情報が含まれている場合には、ユーザから当該指示入力を待たずに、予め設定された再生手順に従ってユーザが所望する音声情報を自動的に再生することができる。
【０１１０】
従って、実施例１等と同様、ユーザは、煩雑な操作を行うことなく、例えば音楽情報を記録したＣＤ−ＤＡと同じように、上記ＤＶＤ等の光ディスクを扱うことができる。
【０１１１】
しかも、当該コンテンツデータ中にユーザが所望する音声情報が含まれている場合に限り、ユーザからの当該指示入力を待たずに、その音声情報が自動的に再生されるので、ユーザが所望する音声情報が記録された光ディスクに対してのみ指示入力を行わず、そうでない光ディスクに対しては指示入力を行うようにすることができる。
【０１１２】
更に、上記実施例４によれば、音声情報の記録形式を示す情報を用いることにより、ユーザが所望する音声情報をより簡単かつ迅速に判別することができる。
【０１１３】
なお、上記実施例１乃至４におけるそれぞれの音声情報存否判別のうち、何れか一つの音声情報存否判別をユーザが操作部２０を操作して記憶部１９に設定できるようにし、設定された音声情報存否判別により、コンテンツデータ中に再生すべき音声情報が含まれていると判別するように構成してもよい。
【０１１４】
また、上記実施形態において、音声情報存否判別方法について幾つか例を挙げて説明したが、かかる音声情報存否判別方法については、これらに限定されるものではなく、コンテンツデータ中に再生すべき音声情報が含まれている否かを判別できる方法でれば如何なる方法であっても適用することができる。
【０１１５】
また、上記実施形態においては、コンテンツデータの再生にあたって必要なユーザからの指示入力の例として、メニュー画面における操作選択項目の選択指示入力について説明したが、これに限定されるものではなく、メニュー画面がモニタの表示画面上に表示されなくとも、操作部２０を介してユーザから指示入力がなければ、コンテンツデータの再生待機になる場合についても適用できる。
【０１１６】
また、上記実施形態においては、記録媒体の一例としてＤＶＤ−Ｖｉｄｅｏを例にとって説明したがこれに限定されるものではなく、この他にも、ＤＶＤ−Ａｕｄｉｏ、Ｖｉｄｅｏ−ＣＤ等の記録媒体に対しても適用可能である。
【図面の簡単な説明】
【０１１７】
【図１】ＤＶＤの論理的記録フォーマット例を示す図である。
【図２】本実施形態にかかる情報再生装置の概要ブロック例を示す図である。
【図３】実施例１における情報再生装置Ｓの再生処理を示すフローチャートである。
【図４】情報検索用データベースに記憶された情報例を示すための概念図である。
【図５】実施例２における情報再生装置Ｓの再生処理を示すフローチャートである。
【図６】実施例３における情報再生装置Ｓの再生処理を示すフローチャートである。
【図７】実施例４における情報再生装置Ｓの再生処理を示すフローチャートである。
【符号の説明】
【０１１８】
２  ＤＶＤ
３  スピンドルモータ
４  光ピックアップ
５  送りモータ
６  ＲＦアンプ
７  サーボ制御部
８  デジタル信号処理部
９  バッファメモリ
１０  ストリーム分離部
１１  ビデオデコーダ
１２  オーディオデコーダ
１３  サブピクチャデコーダ
１４  ビデオプロセッサ
１５  Ｄ／Ａ変換器
１６  ビデオエンコーダ
１７  通信部
１８  システムコントローラ
１９  記憶部
２０  操作部
Ｓ  情報再生装置
【図１】
2005122839.tif 000003
【図２】
2005122839.tif 000004
【図３】
2005122839.tif 000005
【図４】
2005122839.tif 000006
【図５】
2005122839.tif 000007
【図６】
2005122839.tif 000008
【図７】
2005122839.tif 000009